(57)【要約】      （修正有）【課題】プラスチック材質で成型でき、簡単、且つ、快速にキャスターを組み立て、家具を承載することができる家具用キャスターを提供する。【解決手段】家具用キャスターは、ベース１０と、ベース内に枢設される連動座２０と、連動座内に枢設される少なくとも一つの輪体２６と、からなる。ベース外側は結合面１１を形成し、家具の支脚を迫接し、ベース内は連動座を枢装し、パッド２４が連動座底側に抵接し、結合素子がパッドを穿過して、ベースに固定される。【選択図】図２
0003127621.tif 000002
【実用新案登録請求の範囲】
【請求項１】
家具用キャスターであって、
断面は門状の円蓋体で、家具の結合面に連結され、内頂面中央は突部を形成し、前記突部の外環側は環突起の外リブで、転動素子を装着するベースと、
円塊状で、前記ベース内に収容され、前記ベースの端面方向に挟合され、前記ベースに対し転動でき、中央は、前記突部に対応する中孔を形成し、前記中孔外側は、前記外リブの外側に相対容置される突縁を形成し、結合素子が、パッド、前記中孔を穿過して、前記突部に固定され、前記結合素子は、ねじで、前記ベースに螺合され、前記パッドが前記外リブ上に貼接して、前記突縁底側を抵止する連動座と、
前記連動座の底側に設置され、転動が可能で、前記連動座底側は、水平を呈し直線で対応する二つの枢槽を有し、穿装する軸の両端に提供され、前記枢槽中に固定され、前記軸を支点として回転する輪体と、
からなることを特徴とする家具用キャスター。
【請求項２】
前記ベース内頂側と前記連動座頂面は、それぞれ、環凹弧状のベース珠槽、連動珠槽を設置し、前記転動素子を挟装し、前記転動素子は複数のステンレスボールであることを特徴とする請求項１に記載の家具用キャスター。
【請求項３】
前記ベースは前記係合座内に係合され、異なる尺寸の家具支脚底側の組槽内に装着されることを特徴とする請求項１に記載の家具用キャスター。
【請求項４】
前記係合座底面に係接槽を凹設し、且つ、前記係接槽は、緊密に前記ベースに係合され、前記係合座頂面は上向けに環体を突伸し、且つ、前記環体周縁は径方向に複数の弾性リブを設置し、前記係合座は、複数の弾性リブにより、家具の支脚底側の組槽内に装着されることを特徴とする請求項１、或いは、３に記載の家具用キャスター。
【考案の詳細な説明】
【技術分野】
【０００１】
本考案は、家具用キャスター構造に関するものであって、特に、キャスター素子の構造形態とその組み立てが実用効果を達する家具用キャスターに関するものである。
【背景技術】
【０００２】
テーブル、及び、ローボード等の家具は移動を便利にするため、キャスターを装着する。特に、木製材質のものは重量があるので、キャスターを装着すると移動が容易である。現有のキャスターは多くが金属からなり、構造が複雑で、また、材料の重量も重いので、家具に結合する方式は、多くが、ねじか結合素子により家具に固定するため、特に、木製の家具では、家具の美観を損ねることになる。
【考案の開示】
【考案が解決しようとする課題】
【０００３】
本考案は、キャスターは軽く、構造が簡単である特徴を有し、家具にキャスターを装着する時、美観を有する家具用キャスターを提供することを目的とする。
【０００４】
本考案は、パッドと結合素子だけを利用し、連動座をベース内に装着し、ベースと連動座の間に複数のステンレスボールを挟着し、且つ、輪体の装着が非常に容易で、輪体の軸を連動座に装着するだけでよく、故に、素子全体の形態が簡潔で、組み立てが快速、単純である家具用キャスターを提供することをもう一つの目的とする。
【課題を解決するための手段】
【０００５】
本考案の家具用キャスターは、ベース、ベース内に装着される連動座、連動座に枢設される少なくとも一つの輪体、からなる。
【考案の効果】
【０００６】
家具の美観を損なわず、装着が容易、組み立てが快速な家具用キャスターが提供される。
【考案を実施するための最良の形態】
【０００７】
本考案の家具に適用するキャスターは、図１で示されるように、ベース１０、ベース１０内に装着される連動座２０、連動座２０に枢設される少なくとも一つの輪体２６、からなる。連動座２０がベース１０に相対して、全円周旋転し、輪体２６は連動座２０に相対し、転動し、家具を各方向に円滑に移動させ、簡単な素子で、組み立てが容易、効果的なキャスターである。
【０００８】
図１、図２で示されるように、ベース１０の断面は門状の円蓋体で、外側の封閉面は、家具の結合面１１を迫合し、内頂面中央は螺孔１２１を有する突部１２を形成し、突部１２の外環側は環突起の外リブ１３で、外リブ１３の外側は、環凹弧状のベース珠槽１４で、転動素子１５を放置し、転動素子１５は複数のステンレスボールである。
【０００９】
図２、図３で示されるように、連動座２０は円塊状で、ベース１０内に収容され、連動座２０はベース１０の端面方向に、環凹弧状の連動珠槽２１を形成し、ベース珠槽１４と転動素子１５を挟合し、転動素子１５は、連動珠槽２１とベース珠槽１４空間内に位置し、連動座２０はベース１０に相対して転動する。連動座２０中央は、突部１２に対応する中孔２２を形成し、中孔２２外側は環状突縁２２１を形成して、突縁２２１をベース１０の外リブ１３外側に容置する。一方、中孔２２は外リブ１３の拘束を受けて、連動珠槽２１とベース珠槽１４は、転動素子１５の挟合状態を保持すると共に、ねじ状の結合素子２５が、パッド２４、中孔２２を穿過して、螺孔１２１中に螺合し、パッド２４は外リブ１３上に貼接して、結合素子２５に支点作用を提供させる。また、パッド２４は一部の突縁２２１を抵止し、連動座２０がベース１０から脱落するのを防止する。
【００１０】
連動座２０底側は、水平を呈し直線で対応する二つの枢槽２３を有し、輪体２６を穿装する軸２６１の両端に提供され、枢槽２３中に固定され、輪体２６は軸２６１を支点として回転する。
【００１１】
家具に装着する実施例が、図２、及び、図４で示され、家具４０の支脚４１底側はベース１０結合面１１の高度、外径に相対して、一組の槽４２を掘設し、ベース１０の結合面１１に塞入して固定し、輪体２６が家具４０を支承し、地面と接触する。
【００１２】
これにより、輪体２６が方向転換するとき、連動座２０は転動素子１５を適当な方向になるまで囲繞し、輪体２６により、直線方向に家具４０を移動させる。本考案のベース１０、連動座２０、輪体２６は、プラスチック材質で製造できるので、軽量で、また、結合素子２５だけで連動座２０、ベース１０を組み立てられるので、構造が単純で、組み立てが容易であり、実用性を有する。
【００１３】
図５、図６は、もう一つの実施例を示し、ベース１０を係合座３０内に係合し、異なる尺寸の家具支脚４１底側の組槽４２内に組み立て、係合座３０はベース１０、及び、家具支脚４１間の組み立て素子に係合され、係合座３０底面は、係接槽３１を凹設し、且つ、係接槽３１はベース１０に緊密に係合され、係合座３０頂面は上向けに環体３２を突伸し、且つ、環体３２周縁は径方向に複数の弾性リブ３２１を設置し、環体３２は、複数の弾性リブ３２１により、密接に家具４０の支脚４１底側の組槽４２内に組み立てられ、家具４０の支脚４１底側は、係合座３０の頂周縁位置で抵止し、ベース１０は係合座３０により、異なる尺寸の家具の支脚４１内に取り付けられ、家具用キャスターの組み立て功能を増進する。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１５】
【図１】本考案の好ましい実施例による立体外観図である。
【図２】本考案の好ましい実施例による立体分解図である。
【図３】本考案の好ましい実施例による家具に装着した立体外観図である。
【図４】本考案の好ましい実施例による組み立て断面図である。
【図５】本考案のもう一つの実施例による立体分解図である。
【図６】本考案のもう一つの実施例による家具に装着した組み立て断面図である。
【符号の説明】
【００１６】
１０    ベース
１１    結合面
１２    突部
１２１  螺孔
１３    ベース
１４    ベース珠槽
１５    転動素子
２０    連動座
２１    連動珠槽
２２    中孔
２２１  突縁
２３    枢槽
２４    パッド
２５    ねじ
２６    輪体
２６１  軸
３０    係合座
３１    係接槽
３２    環座
３２１  弾性リブ
４０    家具
４１    支脚
４２    組槽
【図１】
0003127621.tif 000003
【図２】
0003127621.tif 000004
【図３】
0003127621.tif 000005
【図４】
0003127621.tif 000006
【図５】
0003127621.tif 000007
【図６】
0003127621.tif 000008